(57)【要約】【課題】死蔵紙幣の発生を抑制して資金効率を向上させる。【解決手段】出金取引時に鑑別部３でリジェクト紙幣と鑑別された紙幣を一時保留部５に保留し、この紙幣を金種別に金種別リジェクトカセット４ａ、４ｂに戻しておき、金種別カセット４ｃ、４ｄの紙幣の不足時に金種別リジェクトカセット４ａ、４ｂから繰り出して再度鑑別を行って正常と鑑別されれば、顧客等に出金する。【選択図】図１
2010186488.tif 000002
【特許請求の範囲】
【請求項１】
金種別に紙幣を収納した金種別カセット内から紙幣を繰り出して鑑別部で鑑別し、正常と鑑別された紙幣を接客部から支払う紙幣処理装置において、
出金取引時の紙幣の搬送方向における鑑別部の下流側に紙幣を一時保留する一時保留部を配置すると共に、前記金種別カセットとは別の紙幣収納カセットを設け、
出金取引時に前記鑑別部でリジェクト紙幣と鑑別された紙幣を前記一時保留部に集積して保留し、
出金する分の正常な紙幣を前記接客部に集積した後、前記一時保留部から紙幣を繰り出して前記紙幣収納カセットに収納し、再度鑑別を行って以後の出金取引に利用することを特徴とする紙幣処理装置。
【請求項２】
請求項１記載の紙幣処理装置において、
前記紙幣収納カセットとして、金種別にリジェクト紙幣を収納する金種別リジェクトカセットを設け、
出金取引の途中で前記金種別カセットの紙幣が不足した場合、前記金種別リジェクトカセットから紙幣を繰出して、前記鑑別部で金種が判明した紙幣を出金し、リジェクト紙幣と鑑別された紙幣をリジェクト専用カセットに収納することを特徴とする紙幣処理装置。
【請求項３】
請求項２記載の紙幣処理装置において、
出金取引時の紙幣が複数金種の場合、先に繰り出して鑑別を行った金種のリジェクト紙幣を前記一時保留部からすべて繰り出して金種別リジェクトカセットに収納した後、次の金種の紙幣を繰り出すことを特徴とする紙幣処理装置。
【請求項４】
請求項１記載の紙幣処理装置において、
前記紙幣収納カセットとして、金種混在でリジェクト紙幣を収納する再鑑別用カセットを設け、
取引を行っていない装置の空き時間に前記再鑑別用カセットから紙幣を繰り出して前記一時保留部に集積した後、前記一時保留部から紙幣を繰り出して前記鑑別部で鑑別を行い、
金種が判明した紙幣は金種別カセットに収納すると共に、金種が不明な紙幣はリジェクト専用カセットに収納することを特徴とする紙幣処理装置。
【請求項５】
請求項１乃至請求項４のいずれか１項記載の紙幣処理装置において、
出金取引時に鑑別部でリジェクト紙幣と判定された紙幣のうち、正常の紙幣より寸法が小さい紙幣は一時保留部に保留することなくリジェクト専用カセットに搬送して収納することを特徴とする紙幣処理装置。
【発明の詳細な説明】
【技術分野】
【０００１】
本発明は、顧客等の操作により各種の取引を行う自動取引装置に組み込まれる紙幣処理装置に関するものである。
【背景技術】
【０００２】
従来のこの種の紙幣処理装置においては、出金取引時に紙幣収納カセットから繰り出した紙幣を鑑別部に搬送して、この鑑別部により金種が確定し、正常と鑑別された紙幣のみ接客部に搬送して集積し、予め顧客が指定した金額分の紙幣が接客部に集積されると、シャッターを開いて集積紙幣を顧客に支払うが、前記鑑別部で金種が不明あるいは搬送異常と鑑別された紙幣はリジェクト紙幣としてリジェクトカセットに搬送して収納するようにしている（例えば、特許文献１参照）。
【先行技術文献】
【特許文献】
【０００３】
【特許文献１】特開２００１−２６６２２３号公報
【発明の概要】
【発明が解決しようとする課題】
【０００４】
しかしながら、上述した従来の技術においては、以下の問題がある。
すなわち、リジェクトカセットに収納された紙幣は、精査時等に係員により回収されるまで単に紙幣処理装置内に保管される所謂死蔵の紙幣である。
一方、出金取引時に紙幣収納カセットから繰り出される紙幣は、それ以前に紙幣収納カセットに収納される際に鑑別部で出金に利用できると鑑別された正常な紙幣である。
【０００５】
このように紙幣収納カセットから繰り出される紙幣は本来正常な紙幣であるにも拘らず、従来はその紙幣を出金取引時に鑑別部でリジェクト紙幣と１度鑑別されただけで、リジェクトカセットに収納して精査時等まで死蔵させてしまうため、資金効率を低下させてしまうという問題がある。
本発明は、このような問題を解決することを課題とする。
【課題を解決するための手段】
【０００６】
そのため、本発明は、金種別に紙幣を収納した金種別カセット内から紙幣を繰り出して鑑別部で鑑別し、正常と鑑別された紙幣を接客部から支払う紙幣処理装置において、出金取引時の紙幣の搬送方向における鑑別部の下流側に紙幣を一時保留する一時保留部を配置すると共に、前記金種別カセットとは別の紙幣収納カセットを設け、出金取引時に前記鑑別部でリジェクト紙幣と鑑別された紙幣を前記一時保留部に集積して保留し、出金する分の正常な紙幣を前記接客部に集積した後、前記一時保留部から紙幣を繰り出して前記紙幣収納カセットに収納し、再度鑑別を行って以後の出金取引に利用することを特徴とする。
【発明の効果】
【０００７】
このようにした本発明は、出金取引時に鑑別部でリジェクト紙幣と鑑別された紙幣を一時保留部に保留し、この紙幣を金種別カセットとは別の紙幣収納カセットに戻して、以後出金取引に利用するようにしているため、死蔵紙幣の発生を抑制して資金効率を向上させることができるという効果が得られる。
【発明を実施するための最良の形態】
【０００８】
以下、図面を参照して本発明による紙幣処理装置の実施例を説明する。
【実施例】
【０００９】
図１は本発明による紙幣処理装置の内部構造を示す概略側面図である。
図において１は接客部で、この接客部１には図示しないシャッターが設けられており、顧客が自動取引装置を操作して取引を行う際はこのシャッターが開閉して紙幣の出し入れが可能になるように制御されるものとなっている。
この接客部１内には、顧客が紙幣を投入する際には開口部が上に向きかつ紙幣の分離や取り込みを行うときは開口部が横を向くように角度変化する紙幣保持部材２と、入金取引時に顧客により紙幣保持部材２にセットされた紙幣を１枚ずつ分離して装置内に送り込む分離手段、及び顧客に返却する紙幣や出金取引時に顧客に支払う紙幣を紙幣保持部材２に取り込む取り込み手段を有している。
【００１０】
３は鑑別部で、この鑑別部３は、紙幣の真偽、金種、正損、表裏の鑑別を行うと共に、重送、連鎖、斜行等の搬送異常の検知、及び金種が確定した紙幣の計数を行う機能を有している。
４ａ〜４ｄは紙幣収納カセットで、ここでは４個並べて配置しているが、この数に限られるものではなく、運用形態等に応じて少なくとも１つ備えていればよい。
【００１１】
紙幣収納カセット４ａ〜４ｄにはそれぞれ上部一端に紙幣の取り込み及び繰り出し用の開口部が形成されており、各々の開口部には紙幣収納カセット４ａ〜４ｄ内に紙幣を１枚ずつ送り込んで集積させると共に紙幣収納カセット４ａ〜４ｄ内から紙幣を１枚ずつ分離して繰り出す複数のローラから成る集積繰り出し手段が設けられている。
また、紙幣収納カセット４ａ〜４ｄ内にはそれぞれ昇降可能なステージが設けられており、紙幣収納カセット４ａ〜４ｄ内に収納される紙幣はこのステージ上に集積され、各ステージは紙幣の収納、繰り出しに応じて昇降動作するものとなっている。
【００１２】
５は出金取引時の紙幣の搬送方向における鑑別部３の下流側に配置された一時保留部で、接客部１側の上部に紙幣取り込み口を有し、この取り込み口と同側の下部に繰り出し口を有している。そして一時保留部５内には紙幣を取り込むための複数のローラから成る取り込み手段と、紙幣を一枚ずつ分離して繰り出す複数のローラから成る繰り出し手段が前記取り込み口と繰り出口に対応して設けられている。
【００１３】
この一時保留部５は、通常、入金取引時に鑑別部３で入金可能と鑑別された紙幣を、入金が確定するまで一時保留するために用られるが、本発明では出金取引時のリジェクト紙幣等の処理に利用される。
６は補充回収カセットで、この補充回収カセット６は紙幣処理装置に対して着脱可能に設けられている。
【００１４】
この補充回収カセット６は、紙幣収納カセット４ａ〜４ｄに対して紙幣の補充を行ったり、該紙幣収納カセット４ａ〜４ｄから紙幣の回収を行うために使用されるものであるが、本発明とは直接関係がないのでその詳細については説明を省略する。
７は出金取引時等に顧客が取忘れた紙幣を収納する取忘れ紙幣収納カセット、８は入金取引時に鑑別部３で入金可能であるが出金用紙幣として再利用するには不適当な損券と鑑別された紙幣を収納する損券カセット、９は出金取引時及び補充回収カセット６への回収時に鑑別部３で金種不明等のリジェクト紙幣と鑑別された紙幣を収納するリジェクト専用カセットで、これらのカセット７〜９も紙幣処理装置に対して着脱可能に設けられている。
【００１５】
１０ａ〜１０ｈは紙幣を搬送する搬送路である。
ここで、搬送路１０ａと１０ｂは、接客部１の分離手段から鑑別部３を経由し、コの字を描くように下方に反転して紙幣収納カセット４ａ〜４ｄに対応する各集積繰り出し手段に至る入金経路を成し、搬送路１０ｂと１０ｃは紙幣収納カセット４ａ〜４ｄに対応する各集積繰り出し手段から鑑別部３を経由して一時保留部５の下側から逆コの字を描くように一時保留部５の上方に反転して接客部１の取り込み手段に至る出金経路を成すように設けられており、従って搬送路１０ｂは入金経路と出金経路とで共用されるものとなっている。
【００１６】
また、搬送路１０ｃと搬送路１０ｂは、紙幣の装填・補充時に補充回収カセット６から繰り出された紙幣を鑑別部３を経て紙幣収納カセット４ａ〜４ｄに対応する各集積繰り出し手段に至る装填・補充経路としても利用される。
そのため、少なくとも搬送路１０ｂと１０ｃは紙幣の入金、装填・補充時と出金時とで紙幣を逆の方向に搬送するように駆動制御されるものとなっている。
【００１７】
このような紙幣の搬送経路において、一時保留部５は出金時の紙幣の搬送方向における鑑別部３の下流側に配置されており、そして搬送路１０ｄは接客部１の取り込み手段の手前で搬送路１０ｃから分岐して一時保留部５の取り込み口に至る経路を成すように設けられている。
この搬送路１０ｄは搬送路１０ｃにより搬送されてきた紙幣を反転して一時保留部５の取り込み口に送るように配置されている。
【００１８】
また、搬送路１０ｅは一時保留部５の繰り出し口を始点として搬送路１０ｃの鑑別部３側へ合流する経路を成すように設けられており、搬送路１０ｆは搬送路１０ｂから分岐して搬送路１０ｃに合流するバイパス経路を成すように設けられている。
搬送路１０ｇは搬送路１０ｂの終端から取忘れ紙幣収納カセット７、損券カセット８、及びリジェクト専用カセット９の各紙幣取り込み口に至る経路を成すように、更に搬送路１０ｈは搬送路１０ｃの途中から分岐して搬送路１０ｇに合流する経路を成すように設けられている。
【００１９】
そして、これらの搬送路の分岐部や合流部には図示しないブレードが設けられ、紙幣の搬送方向を切り替えるようなっている。
このような構成を有する本装置において、以下に説明する各部の動作は、各実施例とも図示しない記憶部に格納されたプログラム（ソフトウェア）に基づいて図示しない制御部により制御されるものとなっている。
【００２０】
図２〜図５は第１の実施例を示す説明図で、この実施例は図１で説明した紙幣収納カセット４ａ〜４ｄのうち、紙幣収納カセット４ａ，４ｂは万円紙幣を収納する金種別カセット、紙幣収納カセット４ｃ，４ｄは千円紙幣を収納する金種別カセットとして用いるように設定したものである。
次に第１の実施例の作用について説明する。
【００２１】
出金取引時に顧客または金融機関のオペレータが出金金種、金額を指定する。
指定された金種に万円紙幣がある場合、図２に示すように例えば金種別カセット４ａから集積繰り出し手段により紙幣が１枚ずつ繰り出されて搬送路１０ｂにより鑑別部３に搬送され、この鑑別部３で紙幣の金種、表裏等の鑑別が行われると共に、重送、連鎖、斜行等の搬送異常の検知が行われる。
【００２２】
その結果、金種が確定し、搬送異常も検知されない正常と鑑別された紙幣は計数されて搬送路１０ｃにより接客部１に搬送され、取り込み手段により紙幣保持部材２に取り込まれて集積される。
また、金種不明あるいは搬送異常が検知されてリジェクト紙幣と鑑別された紙幣は搬送路１０ｃにより搬送され、接客部１の手前で搬送方向が切り替えられて搬送路１０ｄに送り込まれた後、一時保留部５に設けられた取り込み手段により一時保留部５内に取り込まれて集積され、一時保留される。
【００２３】
このような処理が繰り返され、接客部１の紙幣保持部材２に指定枚数の万円紙幣が集積されると、一時保留部５に万円のリジェクト紙幣が存在しない場合、指定された金種に千円紙幣があれば、千円紙幣の繰り出しに移るが、一時保留部５に万円のリジェクト紙幣が存在する場合、図３に示したように一時保留部５から繰り出し手段によりリジェクト紙幣が１枚ずつ分離して繰り出される。
【００２４】
繰り出されたリジェクト紙幣は搬送路１０ｅにより搬送されて搬送路１０ｃに送り込まれた後、搬送路１０ｃから搬送路１０ｂに送り込まれ、この搬送路１０ｂにより鑑別部３を通過し、元の金種別カセット４ａに搬送されて集積繰り出し手段により金種別カセット４ａ内に収納される。
一時保留部５内のリジェクト紙幣がすべて繰り出され、金種別カセット４ａ内に収納されると、指定された金種に千円紙幣がある場合、図４に示すように、例えば金種別カセット４ｃから集積繰り出し手段により紙幣が１枚ずつ繰り出されて搬送路１０ｂにより鑑別部３に搬送され、この鑑別部３で紙幣の金種、表裏等の鑑別が行われると共に、重送、連鎖、斜行等の搬送異常の検知が行われる。
【００２５】
その結果、金種が確定し、搬送異常も検知されない正常と鑑別された紙幣は計数され搬送路１０ｃにより接客部１に搬送され、取り込み手段により紙幣保持部材２に取り込まれて集積される。
また、金種不明あるいは搬送異常が検知されてリジェクト紙幣と鑑別された紙幣は搬送路１０ｃにより搬送され、接客部１の手前で搬送方向が切り替えられて搬送路１０ｄに送り込まれた後、一時保留部５に設けられた取り込み手段により一時保留部５内に取り込まれて集積される。
【００２６】
このような処理が繰り返され、接客部１の紙幣保持部材２に指定枚数の万円紙幣と千円紙幣が集積されて揃うと、紙幣保持部材２はその開口部が上方を向くように角度変化し、シャッターが開いて紙幣が顧客またはオペレータに支払われ、紙幣が取り出されるとシャッターは閉じられる。
そして、一時保留部５に千円のリジェクト紙幣が存在する場合、顧客またはオペレータへの紙幣の支払いと並行して、図５に示したように一時保留部５から繰り出し手段によりリジェクト紙幣が１枚ずつ分離して繰り出され、繰り出されたリジェクト紙幣は搬送路１０ｅにより搬送されて搬送路１０ｃに送り込まれた後、搬送路１０ｃから搬送路１０ｂに送り込まれて、この搬送路１０ｂにより鑑別部３を通過し、元の金種別カセット４ｃに搬送されて集積繰り出し手段により金種別カセット４ｃ内に収納される。
【００２７】
その後、紙幣処理装置は次の取引に備えて待機状態となる。
金種別カセット４ｂ、４ｄから紙幣を繰り出して支払いを行う場合も同様である。
次の出金取引では、前回のリジェクト紙幣が金種別カセット４ａ〜４ｄから繰り出されて前記と同様の処理が行われる。
これにより、前回鑑別部３でリジェクト紙幣と鑑別された紙幣でも、鑑別部３で正常と鑑別されれば、顧客等に出金する。
【００２８】
尚、この場合、前回のリジェクト紙幣を収納した金種別カセットを図示しない一時記憶メモリ等に記憶し、その金種別カセットから繰り出された紙幣については、鑑別部３で金種不明あるいは搬送異常が検知されることでリジェクト紙幣と鑑別された紙幣は一時保留部５に送らず、搬送路１０ｃから搬送路１０ｈに送り、搬送路１０ｇによりリジェクト専用カセット９に搬送してリジェクト専用カセット９内に収納するようにしてもよい。
【００２９】
以上説明したように第１の実施例によれば、出金取引時に鑑別部でリジェクト紙幣と鑑別された紙幣を一時保留部に保留し、この紙幣を金種別カセットに戻して、次の出金取引時に再度鑑別を行って正常と鑑別されれば、顧客等に出金するようにしているため、死蔵紙幣の発生を抑制して資金効率を向上させることができるものとなる。
図６〜図９は第２の実施例を示す説明図で、この実施例は図１で説明した紙幣収納カセット４ａ〜４ｄのうち、紙幣収納カセット４ａは正常な万円紙幣を収納する金種別カセット、紙幣収納カセット４ｂは万円のリジェクト紙幣を収納する金種別リジェクトカセット、紙幣収納カセット４ｃは正常な千円紙幣を収納する金種別カセット、紙幣収納カセット４ｄは千円のリジェクト紙幣を収納する金種別リジェクトカセットとして用いるように設定したものである。
【００３０】
次に第２の実施例の作用について説明する。
出金取引時に顧客または金融機関のオペレータが出金金種、金額を指定すると、指定された金種に万円紙幣がある場合、図６に示すように例えば金種別カセット４ａから集積繰り出し手段により紙幣が１枚ずつ繰り出される。
繰り出された紙幣は、第１の実施例と同じ手順で鑑別部３による鑑別を経て、正常な紙幣は接客部１の紙幣保持部材２に取り込まれて集積され、リジェクト紙幣は一時保留部５内に取り込まれて一時保留される。
【００３１】
そして、接客部１の紙幣保持部材２に指定枚数の万円紙幣が集積されると、一時保留部５に万円のリジェクト紙幣が存在しない場合、指定された金種に千円紙幣があれば、千円紙幣の繰り出しに移るが、一時保留部５に万円のリジェクト紙幣が存在する場合、図７に示したように一時保留部５から繰り出し手段によりリジェクト紙幣が１枚ずつ分離して繰り出される。
【００３２】
繰り出されたリジェクト紙幣は搬送路１０ｅにより搬送されて搬送路１０ｃに送り込まれた後、搬送路１０ｃから搬送路１０ｂに送り込まれ、この搬送路１０ｂにより鑑別部３を通過し、金種別カセット４ｂに搬送されて集積繰り出し手段により金種別リジェクトカセット４ｂ内に収納される。
一時保留部５内のリジェクト紙幣がすべて繰り出され、金種別リジェクトカセット４ｂ内に収納されると、指定された金種に千円紙幣がある場合、図８に示すように、例えば金種別カセット４ｃから集積繰り出し手段により紙幣が１枚ずつ繰り出される。
【００３３】
繰り出された紙幣は、第１の実施例と同じ手順で鑑別部３による鑑別を経て、正常な紙幣は接客部１の紙幣保持部材２に取り込まれて集積され、リジェクト紙幣は一時保留部５内に取り込まれて一時保留される。
このような処理が繰り返され、接客部１の紙幣保持部材２に指定枚数の万円紙幣と千円紙幣が集積されて揃うと、紙幣保持部材２はその開口部が上方を向くように角度変化し、シャッターが開いて紙幣が顧客またはオペレータに支払われ、紙幣が取り出されるとシャッターは閉じられる。
【００３４】
そして、一時保留部５に千円のリジェクト紙幣が存在する場合、顧客またはオペレータへの紙幣の支払いと並行して、図９に示したように一時保留部５から繰り出し手段によりリジェクト紙幣が１枚ずつ分離して繰り出され、繰り出されたリジェクト紙幣は搬送路１０ｅにより搬送されて搬送路１０ｃに送り込まれた後、搬送路１０ｃから搬送路１０ｂに送り込まれて、この搬送路１０ｂにより鑑別部３を通過し、金種別リジェクトカセット４ｄに搬送されて集積繰り出し手段により金種別カセット４ｄ内に収納される。
【００３５】
その後、紙幣処理装置は次の取引に備えて待機状態となる。
以後同様に出金取引が繰り返されるが、取引の途中で金種別カセット４ａまたは４ｃの紙幣が不足した場合、金種別リジェクトカセット４ｂまたは４ｄから紙幣が繰り出されて金種別カセット４ａまたは４ｃから繰り出された紙幣と同様の処理が行われる。
これにより、以前に鑑別部３でリジェクト紙幣と鑑別された紙幣でも、鑑別部３で正常と鑑別されれば、顧客等に出金する。
【００３６】
尚、この場合、金種別リジェクトカセット４ｂまたは４ｄから繰り出された紙幣については、鑑別部３で金種不明あるいは搬送異常が検知されることでリジェクト紙幣と鑑別された紙幣は一時保留部５に送らず、搬送路１０ｃから搬送路１０ｈに送り、搬送路１０ｇによりリジェクト専用カセット９に搬送してリジェクト専用カセット９内に収納するようにしてもよい。
【００３７】
以上説明したように第２の実施例によれば、出金取引時に鑑別部でリジェクト紙幣と鑑別された紙幣を一時保留部に保留し、この紙幣を金種別リジェクトカセットに戻しておき、金種別カセットの紙幣の不足時に金種別リジェクトカセットから繰り出して再度鑑別を行って正常と鑑別されれば、顧客等に出金するようにしているため、第１の実施例と同様に死蔵紙幣の発生を抑制して資金効率を向上させることができるものとなる。
【００３８】
図１０〜図１３は第３の実施例を示す説明図で、この実施例は図１で説明した紙幣収納カセット４ａ〜４ｄのうちの１つ、例えば紙幣収納カセット４ａをリジェクト紙幣と鑑別された紙幣を収納する再鑑別用カセット、残りの紙幣収納カセット４ｂ〜４ｄを金種別カセットとして用いるように設定したもので、金種別カセット４ｂ〜４ｄに収納する紙幣の金種は任意であるが、ここでは金種別カセット４ｂを万円紙幣収納用、紙幣収納カセット４ｃ，４ｄは千円紙幣収納用として用いるように設定したものとする。
【００３９】
次に第３の実施例の作用について説明する。
出金取引時に顧客または金融機関のオペレータが出金金種、金額を指定すると、指定された金種に万円紙幣がある場合、図１０に示すように金種別カセット４ｂから集積繰り出し手段により紙幣が１枚ずつ繰り出される。
繰り出された紙幣は、第１の実施例と同じ手順で鑑別部３による鑑別を経て、正常な紙幣は接客部１の紙幣保持部材２に取り込まれて集積され、リジェクト紙幣は一時保留部５内に取り込まれて一時保留される。
【００４０】
そして、接客部１の紙幣保持部材２に指定枚数の万円紙幣が集積されると、一時保留部５に万円のリジェクト紙幣が存在しない場合、指定された金種に千円紙幣があれば、千円紙幣の繰り出しに移るが、一時保留部５に万円のリジェクト紙幣が存在する場合、図１１に示したように一時保留部５から繰り出し手段によりリジェクト紙幣が１枚ずつ分離して繰り出され、繰り出されたリジェクト紙幣は搬送路１０ｅにより搬送されて搬送路１０ｃに送り込まれた後、搬送路１０ｃから搬送路１０ｂに送り込まれて、この搬送路１０ｂにより鑑別部３に搬送される。
【００４１】
そして、鑑別部３で再度鑑別及び搬送異常の検知が行われ、その結果金種が判明した正常な紙幣は搬送路１０ｂにより金種別カセット４ｂに搬送されて集積繰り出し手段により金種別リジェクトカセット４ｂ内に収納される。
また、ここでもリジェクト紙幣と鑑別された紙幣は搬送路１０ｂにより再鑑別用カセット４ａに搬送されて集積繰り出し手段により再鑑別用カセット４ａ内に収納される。
【００４２】
一時保留部５内のリジェクト紙幣がすべて繰り出され、再鑑別用カセット４ａまたは金種別カセット４ｂ内に収納されると、指定された金種に千円紙幣がある場合、例えば金種別カセット４ｃから集積繰り出し手段により紙幣が１枚ずつ繰り出される。
繰り出された紙幣は、第１の実施例と同じ手順で鑑別部３による鑑別を経て、正常な紙幣は接客部１の紙幣保持部材２に取り込まれて集積され、リジェクト紙幣は一時保留部５内に取り込まれて一時保留される。
【００４３】
このような処理が繰り返され、接客部１の紙幣保持部材２に指定枚数の万円紙幣と千円紙幣が集積されて揃うと、紙幣保持部材２はその開口部が上方を向くように角度変化し、シャッターが開いて紙幣が顧客またはオペレータに支払われ、紙幣が取り出されるとシャッターは閉じられる。
そして、一時保留部５に千円のリジェクト紙幣が存在する場合、顧客またはオペレータへの紙幣の支払いと並行して、一時保留部５から繰り出し手段によりリジェクト紙幣が１枚ずつ分離して繰り出され、繰り出されたリジェクト紙幣は搬送路１０ｅにより搬送されて搬送路１０ｃに送り込まれた後、搬送路１０ｃから搬送路１０ｂに送り込まれて、この搬送路１０ｂにより鑑別部３に搬送される。
【００４４】
そして、鑑別部３で再度鑑別及び搬送異常の検知が行われ、その結果金種が判明した正常な紙幣は搬送路１０ｂにより金種別カセット４ｃに搬送されて集積繰り出し手段により金種別カセット４ｃ内に収納される。
また、ここでもリジェクト紙幣と鑑別された紙幣は搬送路１０ｂにより再鑑別用カセット４ａに搬送されて集積繰り出し手段により再鑑別用カセット４ａ内に収納される。
【００４５】
金種別カセット４ｄから紙幣を繰り出して出金する場合も同様に処理が行われる。
その後、紙幣処理装置は次の取引に備えて待機状態となる。
以後同様に出金取引が繰り返されるが、取引と取引の間の装置の空き時間に図１２に示すように再鑑別用カセット４ａから集積繰り出し手段により紙幣が繰り出される。
繰り出された紙幣は搬送路１０ｂにより搬送され、鑑別部３を通過した後、搬送路１０ｃにより搬送されて接客部１の手前で搬送方向が切り替えられて搬送路１０ｄに送り込まれた後、一時保留部５に設けられた取り込み手段により一時保留部５内に取り込まれて集積される。
【００４６】
再鑑別用カセット４ａからすべての紙幣が繰り出され、一時保留部５内に取り込まれて集積されると、図１３に示したように一時保留部５から繰り出し手段によりリジェクト紙幣が１枚ずつ分離して繰り出され、繰り出されたリジェクト紙幣は搬送路１０ｅにより搬送されて搬送路１０ｃに送り込まれた後、搬送路１０ｃから搬送路１０ｂに送り込まれて、この搬送路１０ｂにより鑑別部３に搬送される。
【００４７】
そして、鑑別部３で再度鑑別及び搬送異常の検知が行われ、その結果金種が判明した正常な紙幣はその金種に応じて搬送路１０ｂにより金種別カセット４ｂ〜４ｄいずれかに搬送されて集積繰り出し手段により金種別カセット４ｂ〜４ｄ内に収納される。
また、リジェクト紙幣と鑑別された紙幣は搬送路１０ｂにより再鑑別用カセット４ａに搬送して集積繰り出し手段により再鑑別用カセット４ａ内に収納するようにしてもよいが、ここでの紙幣は複数回の鑑別でいずれもリジェクト紙幣と鑑別されているので、搬送路１０ｂから搬送路１０ｇに送り込んでリジェクト専用カセット９に搬送し、リジェクト専用カセット９内に収納するようにしてもよい。
【００４８】
以上説明したように、第３の実施例では、出金取引時に鑑別部でリジェクト紙幣と鑑別された紙幣を一時保留部に保留し、この紙幣を再鑑別用カセットに搬送して収納し、装置の空き時間に鑑別部に搬送して再度鑑別することにより正常と鑑別された紙幣を金種別カセットに戻すようにしているため、第１の実施例と同様に死蔵紙幣の発生を抑制して資金効率を向上させることができるものとなる。
【００４９】
また、この第３の実施例によれば、金種別カセットには正常と鑑別された紙幣のみが収納されるので、出金取引時にリジェクト紙幣が発生することも抑制され、取引時間の短縮にも寄与できるものとなる。
尚、上述した第１〜第３の実施例において、鑑別部３でリジェクト紙幣と鑑別された紙幣のうち、紙幣の長さや幅の寸法が正常な紙幣の寸法より短いことでリジェクト紙幣と鑑別された紙幣は、金種別カセット４ａへの収納あるいは金種別カセット４ａからの繰り出し時等に折れや破損が生じた可能性が高く、一時保留部５に送るとジャム等を生じる恐れがあるので、このような寸法の小さいリジェクト紙幣は搬送路１０ｃから搬送路１０ｈに送り、搬送路１０ｇによりリジェクト専用カセット９に搬送してリジェクト専用カセット９内に収納すればジャム等の発生を予防することができる。
【００５０】
図１４及び図１５は第４の実施例を示す説明図で、この第４の実施例は第１の実施例と同様に図１で説明した紙幣収納カセット４ａ〜４ｄのうち、紙幣収納カセット４ａ，４ｂは万円紙幣を収納する金種別カセット、紙幣収納カセット４ｃ，４ｄは千円紙幣を収納する金種別カセットとして用いるように設定したものであるが、一時保留部５は紙幣の表裏取り揃えに利用するものである。
【００５１】
次に第４の実施例の作用について説明する。
出金取引時に顧客または金融機関のオペレータが出金金種、金額を指定する。
指定された金種に万円紙幣がある場合、図１４に示すように例えば金種別カセット４ａから集積繰り出し手段により紙幣が１枚ずつ繰り出されて搬送路１０ｂにより鑑別部３に搬送され、この鑑別部３で紙幣の金種、表裏等の鑑別が行われると共に、重送、連鎖、斜行等の搬送異常の検知が行われる。
【００５２】
その結果、金種が確定し、搬送異常も検知されない正常と鑑別された表（または裏）向きの紙幣は計数されて搬送路１０ｃにより接客部１に搬送され、取り込み手段により紙幣保持部材２に取り込まれて集積される。
また、正常と鑑別された裏（または表）向きの紙幣は搬送路１０ｃにより搬送され、接客部１の手前で搬送方向が切り替えられて搬送路１０ｄに送り込まれて表裏が反転された後、一時保留部５に設けられた取り込み手段により一時保留部５内に取り込まれて集積され、一時保留される。
【００５３】
更に、金種不明あるいは搬送異常が検知されて鑑別部３でリジェクト紙幣と鑑別された紙幣は搬送路１０ｃから搬送路１０ｈに送られ、搬送路１０ｇによりリジェクト専用カセット９に搬送されてリジェクト専用カセット９内に収納される。
このような処理が繰り返され、接客部１の紙幣保持部材２と一時保留部５に指定枚数の万円紙幣が集積されると、一時保留部５から繰り出し手段により紙幣が１枚ずつ分離して繰り出され、繰り出された紙幣は搬送路１０ｅにより搬送されて搬送路１０ｃから搬送路１０ｂに送り込まれる。
【００５４】
そして搬送路１０ｂにより紙幣は搬送されて鑑別部３を通過し、搬送路１０ｆにより再び搬送路１０ｃに送りこまれ、この搬送路１０ｃにより接客部１に搬送されて、取り込み手段により紙幣保持部材２に取り込まれて集積される。
この場合、一時保留部５に一時保留されている紙幣は、上述したように一時保留部５に取り込まれる際に表裏反転されており、その反転されたままの状態で一時保留部５から繰り出されて接客部１まで搬送されるので、既に紙幣保持部材２に集積されている紙幣と同じ向きに表裏が揃えられて紙幣保持部材２に集積されることになる。
【００５５】
一時保留部５内の紙幣がすべて繰り出され、接客部１の紙幣保持部材２に集積されると、指定された金種に千円紙幣がある場合、例えば金種別カセット４ｃから集積繰り出し手段により紙幣が１枚ずつ繰り出されて搬送路１０ｂにより鑑別部３に搬送され、この鑑別部３で紙幣の金種、表裏等の鑑別が行われると共に、重送、連鎖、斜行等の搬送異常の検知が行われる。
【００５６】
その結果、金種が確定し、搬送異常も検知されない正常と鑑別された表（または裏）向きの紙幣は計数され搬送路１０ｃにより接客部１に搬送され、取り込み手段により紙幣保持部材２に取り込まれて集積される。
また、正常と鑑別された裏（または表）向きの紙幣は搬送路１０ｃにより搬送され、接客部１の手前で搬送方向が切り替えられて搬送路１０ｄに送り込まれて表裏が反転された後、一時保留部５に設けられた取り込み手段により一時保留部５内に取り込まれて集積され、一時保留される。
【００５７】
更に、金種不明あるいは搬送異常が検知されて鑑別部３でリジェクト紙幣と鑑別された紙幣は搬送路１０ｃから搬送路１０ｈに送られ、搬送路１０ｇによりリジェクト専用カセット９に搬送されてリジェクト専用カセット９内に収納される。
このような処理が繰り返され、接客部１の紙幣保持部材２と一時保留部５に指定枚数の万円紙幣と千円紙幣が集積されて揃うと、万円紙幣の場合と同様に一時保留部５から紙幣が繰り出されて接客部１の紙幣保持部材２に集積される。
【００５８】
そして、一時保留部５内の紙幣がすべて繰り出され、接客部１の紙幣保持部材２に集積されると、紙幣保持部材２はその開口部が上方を向くように角度変化し、シャッターが開いて表裏が揃えられた紙幣が顧客またはオペレータに支払われ、紙幣が取り出されるとシャッターは閉じられる。
その後、紙幣処理装置は次の取引に備えて待機状態となる。
【００５９】
金種別カセット４ｂ、４ｄから紙幣を繰り出して支払いを行う場合も同様である。
以上説明した第４の実施例によれば、特に紙幣の表裏を反転するための表裏反転機構を設けることなく、一時保留部を利用して出金取引時に紙幣の表裏を揃えることができる、装置を大型化することなく、紙幣の表裏を揃えて出金したいという要求に応えることができる。
【００６０】
尚、上述した各実施例では４個の紙幣収納カセット４ａ〜４ｃを備えた装置について説明したが、これに限られるものではなく、例えば第１、第４の実施例の場合、紙幣収納カセットが１個備えられている装置であっても実現可能であり、また、第２、第３の実施例の場合は、紙幣収納カセットが２個備えられている装置であれば実現可能である。
【図面の簡単な説明】
【００６１】
【図１】実施例の内部構成を示す側面図
【図２】第１の実施例を示す説明図
【図３】第１の実施例を示す説明図
【図４】第１の実施例を示す説明図
【図５】第１の実施例を示す説明図
【図６】第２の実施例を示す説明図
【図７】第２の実施例を示す説明図
【図８】第２の実施例を示す説明図
【図９】第２の実施例を示す説明図
【図１０】第３の実施例を示す説明図
【図１１】第３の実施例を示す説明図
【図１２】第３の実施例を示す説明図
【図１３】第３の実施例を示す説明図
【図１４】第４の実施例を示す説明図
【図１５】第４の実施例を示す説明図
【符号の説明】
【００６２】
１ 接客部
２ 紙幣保持部材
３ 鑑別部
４ａ〜４ｄ 紙幣収納カセット
５ 一時保留部
６ 補充回収カセット
７ 取忘れ紙幣収納カセット
８ 損券カセット
９ リジェクト専用カセット
１０ａ〜１０ｈ 搬送路
【図１】
2010186488.tif 000003
【図２】
2010186488.tif 000004
【図３】
2010186488.tif 000005
【図４】
2010186488.tif 000006
【図５】
2010186488.tif 000007
【図６】
2010186488.tif 000008
【図７】
2010186488.tif 000009
【図８】
2010186488.tif 000010
【図９】
2010186488.tif 000011
【図１０】
2010186488.tif 000012
【図１１】
2010186488.tif 000013
【図１２】
2010186488.tif 000014
【図１３】
2010186488.tif 000015
【図１４】
2010186488.tif 000016
【図１５】
2010186488.tif 000017